(57)【要約】【課題】  外形寸法のコンパクト化を図り、かつ、外部からの構造の把握を困難にすることにより錠の破壊を困難にし得る外部開口部施錠構造を提供する。【解決手段】  周囲枠１内に開閉自在に取付けられる建具を施錠する外部開口部施錠構造に於て、建具の閂受部に対し施錠解錠を行うための閂片７を有する駆動ユニット３を、周囲枠１に配設し、さらに、遠隔操作信号を受信して駆動ユニット３へ施錠解錠の作動信号を送信する制御ユニット４を、駆動ユニット３と分離した位置に配設する。また、駆動ユニット３及び制御ユニット４に定格電力を供給するために、分離して配設される電源ユニット５を備え、電源ユニット５は、非常時に、商用電源に代えて使用される非常用バッテリと、商用電源から非常用バッテリに切換える電源切換部と、を有する。【選択図】  図２
2005163361.tif 000002
【特許請求の範囲】
【請求項１】
周囲枠（１）内に開閉自在に取付けられる建具（２）を施錠する外部開口部施錠構造に於て、該建具（２）の閂受部（16）に対し施錠解錠を行うための閂片（７）を有する駆動ユニット（３）を、上記周囲枠（１）に配設し、さらに、遠隔操作信号を受信して該駆動ユニット（３）へ施錠解錠の作動信号を送信する制御ユニット（４）を、該駆動ユニット（３）と分離した位置に配設したことを特徴とする外部開口部施錠構造。
【請求項２】
上記駆動ユニット（３）及び上記制御ユニット（４）に定格電力を供給するために、分離して配設される電源ユニット（５）を備え、
該電源ユニット（５）は、非常時に、商用電源（13）に代えて使用される非常用バッテリ（11）と、該商用電源（13）から該非常用バッテリ（11）に切換える電源切換部（12）と、を有する請求項１記載の外部開口部施錠構造。
【請求項３】
上記駆動ユニット（３）は、上記周囲枠（１）の内部に配設され、
上記閂片（７）は、該周囲枠（１）の内部から外部へ出没可能に構成されている請求項１又は２記載の外部開口部施錠構造。
【発明の詳細な説明】
【技術分野】
【０００１】
本発明は、外部開口部施錠構造に関する。
【背景技術】
【０００２】
従来、住宅等に設けられた扉や窓等の外部開口部に於て、鍵以外の特殊工具で錠を短時間に開けて窃盗を行う、いわゆるピッキングによる不法侵入犯罪を防ぐための種々の対策がとられている（例えば、特許文献１参照）。
この特許文献１に開示された構造では、扉枠と、扉枠内に開閉自在に取り付けられる扉本体と、これらの施錠を行うための鍵操作部を有する２種類の錠と、を備えている。一方は、鍵操作部に、扉本体の側面から左右方向に出没する閂片を有している。他方は、鍵操作部に、扉本体の上面及び下面から上下方向に出没するロッドを有する。そして、これら２種類の錠は、扉本体に独立して設けられた２つの鍵操作部の夫々の鍵穴に鍵を差し込んで回すことにより施錠解錠される。
【特許文献１】特開２００３−２３９５９３号公報
【発明の開示】
【発明が解決しようとする課題】
【０００３】
しかしながら、上記特許文献１に開示された施錠構造では、鍵操作部に、閂片及びロッドを駆動させるための駆動機構とそれらを操作するための鍵操作機構が一体化されている。これにより、鍵操作部の外径寸法が大きいものとなるので、施錠構造のコンパクト化が妨げられるという問題点があった。また、侵入者は、錠を構成する鍵操作部の取り付け位置が外部から容易に識別でき、かつ、駆動機構と鍵操作機構が一体化されているので鍵操作部に触れてその構造を調べることが容易となるという問題もあった。
【０００４】
そこで、本発明は、外形寸法のコンパクト化を図り、かつ、外部からの構造の把握を困難にすることにより錠の破壊を困難にし得る外部開口部施錠構造を提供することを目的とする。
【課題を解決するための手段】
【０００５】
上記の目的を達成するために、本発明に係る外部開口部施錠構造は、周囲枠内に開閉自在に取付けられる建具を施錠する外部開口部施錠構造に於て、該建具の閂受部に対し施錠解錠を行うための閂片を有する駆動ユニットを、上記周囲枠に配設し、さらに、遠隔操作信号を受信して該駆動ユニットへ施錠解錠の作動信号を送信する制御ユニットを、該駆動ユニットと分離した位置に配設する。
【０００６】
また、上記駆動ユニット及び上記制御ユニットに定格電力を供給するために、分離して配設される電源ユニットを備え、該電源ユニットは、非常時に、商用電源に代えて使用される非常用バッテリと、該商用電源から該非常用バッテリに切換える電源切換部と、を有する。
【０００７】
また、上記駆動ユニットは、上記周囲枠の内部に配設され、上記閂片は、該周囲枠内部から外部へ出没可能に構成されている。
【発明の効果】
【０００８】
本発明の外部開口部施錠構造によれば、各構成部品を分離・分割して、周囲枠の横断面形状（寸法）が小さくても、その内部へ容易に収容することができる。また、外部からの構造の把握を困難にすることができる。
【発明を実施するための最良の形態】
【０００９】
以下、実施の形態を示す図面に基づき、本発明を詳説する。
図１〜図５は、本発明の第一の実施の形態に係る外部開口部施錠構造を説明するための図である。
図１〜図４は、本発明に係る外部開口部施錠構造を家屋の出入口に設けられた開き戸（扉）に適用した例を示している。この開き戸は、周囲枠１と、正面視長方形の建具２と、駆動ユニット３と、制御ユニット４と、電源ユニット５と、を備えている。
【００１０】
建具２は、所定の厚みを有し、ヒンジ部６を介して周囲枠１に枢支されている。また、建具２の側面の上端近傍の所定位置には、閂受部16が配設されている。この閂受部16は、矩形状の凹部を有する受金具の場合を図４に示した。
【００１１】
駆動ユニット３は、図２及び図３と図４に示すように、直方体状に形成されている。この駆動ユニット３は、建具２の閂受部16と対向する周囲枠１の位置に、一面以外が周囲枠１の内部に納まるように配設されている。
周囲枠１の内面壁31に矩形状の窓部32を切欠形成する。33は取付片であり、段差部34を有し、肉厚部35と肉薄部36に区画され、窓部32側に肉薄部36を配設して、駆動ユニット３の取付フランジ３ａをネジ９ａにて、この肉薄部36に取着する。また、このネジ９ａは長孔８に挿通して、取付位置調整を可能としている。
また、37は、取付片33の肉厚部35を、内面壁31の裏面に当接して固着するネジを示す。この図４（ａ）の一部断面正面図と、図４（ｂ）の一部断面平面図に示す構成によれば、周囲枠１の内面壁31を単純に矩形に切欠いて、窓部32を形成するだけで良いので、切欠加工等が容易となる。
【００１２】
また、駆動ユニット３は、角棒状の閂片７を有している。この閂片７は、制御ユニット４からの作動信号によって、建具２の閂受部16と対向する周囲枠１の面から建具２側に出没可能に構成されている。そして、施錠時には、この閂片７が閂受部16と係合する。この閂片７の駆動は、例えばモータ駆動方式や電磁力駆動方式等により行われる。また、閂片７の駆動は制御ユニット４により制御されるようになっており、駆動ユニット３は、その内部に閂片７の駆動を制御するための機構を有していない。これにより、駆動ユニット３の外形寸法がコンパクトになっている。
【００１３】
また、制御ユニット４は、例えば、周囲枠１の竪枠の上部外表面に配設されている。この制御ユニット４は、居住者のリモコンスイッチ25による遠隔操作信号を受信して駆動ユニット３に施錠解錠の作動信号を送信するために設けられている。なお、制御ユニット４は、周囲枠１の内部に配設することも好ましい（図示省略）。そして、この制御ユニット４と駆動ユニット３とは配線26にて接続される。また、図１のように、周囲枠１の上枠内に駆動ユニット３をさらに付設する等して、複数の駆動ユニット３を一個の周囲枠１に設けて、共通の（一個）の制御ユニット４にて制御するのも望ましい。
また、制御ユニット４は、図５に示すように、報知部17とＩＤ識別部18とを有する。
報知部17は、駆動ユニット３が施錠解錠の作動を行う際、その作動が施錠であるのかまたは解錠であるのかを音で居住者に知らせる。これにより、外部から目視確認することが困難な閂片７の施錠解錠の作動を容易に確認することが可能となる。また、ＩＤ識別部18は、リモコンスイッチ25による遠隔操作信号からリモコンスイッチ25のＩＤ番号を読み取って、それが登録されたＩＤ番号である場合のみ、駆動ユニット３に作動信号を送信するように制御を行う。これにより、駆動ユニット３の誤作動を防止することが可能となる。
【００１４】
また、電源ユニット５は、図２及び図５に示すように、屋内の壁面30に取り付けられている。この電源ユニット５は、ＡＣ／ＤＣ変換器10と、非常用バッテリ11と、電源切換部12と、を有している。
ＡＣ／ＤＣ変換器10は、商用電源13からの交流電力を直流電力に変換し、定格電力を駆動ユニット３及び制御ユニット４に供給するために設けられている。また、非常用バッテリ11は、通常時、商用電源13からの交流電力によって充電され、待機状態にある。また、電源切換部12は、非常時（停電時）に電源を商用電源13から非常用バッテリ11に切換えるために設けられている。
なお、図１または図２に於て、電源ユニット５、及び／又は、制御ユニット４を、周囲枠１の内部や壁面30内に、設けるも、防犯上望ましい。
【００１５】
図６及び図７は本発明の第二の実施の形態に係る外部開口部施錠構造を示す図である。  第二実施形態では、本発明に係る外部開口部施錠構造を家屋の引き戸（障子）の開口部に適用した例を示している。この引き戸は、周囲枠１と、周囲枠１内にスライド自在に取付けられる障子（引き戸）から成る建具２, ２と、駆動ユニット３と、制御ユニット４と、電源ユニット５と、を備えている。
【００１６】
周囲枠１の上辺及び下辺の内周面には、図７に示すように、溝部21が２本並んで形成されている。また、各溝部21は、レール部22を有する。
また、２つの建具２, ２は、２つ並んだ溝部21, 21に夫々配設されている。これら建具２, ２は、ガラス部14と、その周囲を囲む周囲框15とを有している。周囲框15の凹溝部15ａは、上記レール部22に係合している。また各建具２の上辺には、孔状切欠によって、閂受部16が形成される。
【００１７】
また、駆動ユニット３は、周囲枠１の上辺内部側に正面視で左右一対配設されている。この一対の駆動ユニット３, ３は、図７に示すように、２つ並んで形成された溝部21に夫々取り付けられている。また、各駆動ユニット３の閂片７は、溝部21に設けられた貫通孔23から出没可能になるように構成されている。各駆動ユニット３の閂片７は、建具２を完全に閉めた際に、建具２の閂受部16と対向する位置に配設され、閂片７を係合させることにより、施錠が行われる。
また、制御ユニット４及び電源ユニット５は、夫々駆動ユニット３, ３とは分離した所定の位置に配設されている。好ましくは、周囲枠１の内部に設ける。その他の構成は、第一実施形態の外部開口部施錠構造と同様である。
引き戸の施錠解錠を行う際、居住者はリモコンスイッチ25を用いて制御ユニット４に遠隔操作信号を送信する。制御ユニット４は、施錠解錠の作動信号を駆動ユニット３, ３に作動信号を送信すると共に居住者に音で施錠解錠を知らせる。これにより、駆動ユニット３, ３の建具２に対する施錠解錠が行われる。
【００１８】
上述の実施の形態では、電源ユニット（電池ユニット）５を分離して配置している場合を例示した（図１，図２又は図６参照）が、これに代えて、この電源ユニット（電池ユニット）５と制御ユニット４とを一体的に配置するも、好ましい。
なお、第一実施形態及び第二実施形態では、駆動ユニット３の駆動方式に電気を使用する例を示したが、本発明はこれに限らず、駆動ユニット３の駆動に空気圧、水圧、油圧等を使用してもよい。
【００１９】
以上のように、本発明に係る外部開口部施錠構造は、周囲枠１内に開閉自在に取付けられる建具２を施錠する外部開口部施錠構造に於て、建具２の閂受部16に対し施錠解錠を行うための閂片７を有する駆動ユニット３を、周囲枠１に配設し、さらに、遠隔操作信号を受信して駆動ユニット３へ施錠解錠の作動信号を送信する制御ユニット４を、駆動ユニット３と分離した位置に配設するので、各ユニット３、４、５の外形寸法のコンパクト化を図ることができる。その結果、より狭い空間───特に、周囲枠１内の空間───に各ユニットを取り付けることができる。また、各ユニットを分離した位置に配設するので、外部からの構造の把握を困難にすることができる。また、建具２の閂受部16に対し施錠解錠を行うための閂片７を有する駆動ユニット３を、周囲枠１に配設するので、建具２に駆動ユニット３を配設する場合と比較して、各ユニットの配線の取り回しを容易に行うことができる。
【００２０】
また、駆動ユニット３及び制御ユニット４に定格電力を供給するために、分離して配設される電源ユニット５を備え、電源ユニット５は、非常時に、商用電源13に代えて使用される非常用バッテリ11と、商用電源13から非常用バッテリ11に切換える電源切換部12と、を有するので、停電時でも建具２の開閉を健全に行うことができる。
また、駆動ユニット３は、周囲枠１の内部に配設され、閂片７は、周囲枠１の内部から外部へ出没可能に構成されているので、駆動ユニット３の取り付け位置を侵入者が外部から容易に識別できないようにすることができると共に、外部から駆動ユニット３を容易に破壊できないように保護することができる。これにより、防犯性を向上させることができる。
【図面の簡単な説明】
【００２１】
【図１】本発明の第一の実施の形態に係る外部開口部施錠構造を有する開き戸の正面図である。
【図２】周囲枠の部分拡大斜視図である。
【図３】駆動ユニットの正面図である。
【図４】要部を示す一部断面図である。
【図５】本発明に係る外部開口部施錠構造を示した図である。
【図６】本発明の第二の実施の形態に係る窓の正面図である。
【図７】図６のＢ−Ｂ線拡大断面図である。
【符号の説明】
【００２２】
１  周囲枠
２  建具
３  駆動ユニット
４  制御ユニット
５  電源ユニット
７  閂片
11  非常用バッテリ
13  商用電源
16  閂受部
【図１】
2005163361.tif 000003
【図２】
2005163361.tif 000004
【図３】
2005163361.tif 000005
【図４】
2005163361.tif 000006
【図５】
2005163361.tif 000007
【図６】
2005163361.tif 000008
【図７】
2005163361.tif 000009